(57)【要約】      （修正有）【課題】前掛けレンズと眼鏡枠との組み合わせ構造を提供する。【解決手段】メイン眼鏡枠２０と、前掛けレンズ３０とを含む。該メイン眼鏡枠は、眼鏡枠本体２１と、２つの眼鏡脚２２と、２つの磁気軸組２３とを含む。該眼鏡枠本体の両側にある第１の結合部２１１には、第１の軸孔２１２と、ナット受け２１３とがそれぞれ設けられており、各眼鏡脚には第２の結合部２２１と第２の軸孔２２２とが設けられている。各磁気軸組は、磁気ナット２３１と、ねじ２３２と、固定ナット２３３とを含み、該磁気ナットは、磁石によって吸着可能な材質または磁石からなる。該ねじは、該第１の軸孔と第２の軸孔とを貫通し、該ナット受け内に載置された固定ナット及び磁気ナットに螺合される。該前掛けレンズの両側には延長アーム３１が設けられており、延長アームの下方には磁気ナットと吸着する磁気部材３２が設けられており、メイン眼鏡枠との組み合わせまたは分離を容易に達成することができる。【選択図】図１
0003208024.tif 000002
【実用新案登録請求の範囲】
【請求項１】
眼鏡枠本体と、２つの眼鏡脚と、２つの磁気軸組とを含み、前記眼鏡枠本体の両側には第１の結合部がそれぞれ設けられており、前記第１の結合部には第１の軸孔と、ナット受けとが設けられており、各眼鏡脚には第２の結合部が設けられており、前記第２の結合部には第２の軸孔が設けられており、各磁気軸組は磁気ナットと、ねじと、固定ナットとを含み、前記磁気ナットは磁石によって吸着可能な材質または磁石からなり、前記ねじにより前記第１の軸孔と第２の軸孔とを貫通し、前記ナット受け内に載置された固定ナット及び磁気ナットに螺合されることで、各眼鏡脚の組み付けが完了するメイン眼鏡枠と、
メイン眼鏡枠と造形が類似するレンズ組である前掛けレンズであって、その両側には延長アームがそれぞれ設けられており、前記延長アームの下方には前記磁気ナットに対応する磁気部材が設けられており、前記磁気部材は前記磁気ナットと相互に吸着されることで、前記メイン眼鏡枠の前面に結合され位置決め可能である前掛けレンズと、
を備えることを特徴とする前掛けレンズと眼鏡枠との組み合わせ構造。
【考案の詳細な説明】
【技術分野】
【０００１】
本考案は、眼鏡に関し、特にメイン眼鏡枠の前面に前掛けレンズが設けられた組み合わせ構造に関するものである。
【背景技術】
【０００２】
一般的には、眼鏡は主にユーザの視力の改善、目の保護ないしアクセサリーとして利用されている。光の強く眩しい戸外活動の場合に、有色のサングラスを掛けて光による目への刺激を回避する必要がある。しかしながら、複数本の眼鏡を身につけることは面倒であるため、メイン眼鏡枠の前方に眼鏡枠が付着された眼鏡の設計が知られている。
【０００３】
図５は、メイン眼鏡枠１０と、付着された眼鏡枠１３とを有する従来の眼鏡構造を示す。そのうち、メイン眼鏡枠１０と付着された眼鏡枠１３との対応箇所には磁石１４がそれぞれ設けられている。上記対応箇所は、眼鏡枠本体１１の両側または眼鏡ブリッジ１２の箇所に略位置する。２つの磁石１４の相互吸引により、ユーザは環境の光線に応じて、付着された眼鏡枠１３とメイン眼鏡枠１０とを容易に組み合わせまたは分離させることができる。付着された眼鏡枠１３の体積が小さく、重量が軽いため、ユーザが身に着けて利用することに有利である。
【０００４】
しかしながら、磁石１４はほとんどメイン眼鏡枠と前掛けレンズとに予め設けられた埋め孔に事後的に嵌設または接着されているため、製造工程に不都合が生じる。さらに、磁石の使用過程においても、緩んで脱落することが容易に発生する。また、使用時間の増加に従って、磁石には酸化、消磁等、性質の変化が生じるため、外観に影響を与えるほか、ユーザの動作が強烈に変化した場合に、付着された眼鏡枠１３も容易に緩んで脱落してしまうおそれがある。
【考案の概要】
【考案が解決しようとする課題】
【０００５】
そこで、本考案は、前掛けレンズとメイン眼鏡枠との結合強度を効果的に向上可能であり、付着された前掛けレンズが容易に脱落しない効果を有する前掛けレンズと眼鏡枠との組み合わせ構造を提供することを目的とする。
【課題を解決するための手段】
【０００６】
本考案に係る前掛けレンズと眼鏡枠との組み合わせ構造は、メイン眼鏡枠と、前掛けレンズとを含む。該メイン眼鏡枠は、眼鏡枠本体と、２つの眼鏡脚と、２つの磁気軸組とを含む。該眼鏡枠本体の両側には第１の結合部と、第１の軸孔と、ナット受けとがそれぞれ設けられている。該眼鏡脚には第２の結合部と第２の軸孔とが設けられている。各磁気軸組は、磁気ナットと、ねじと、固定ナットとを含む。該磁気ナットは、磁石によって吸着可能な材質または磁石からなる。該ねじは、該第１の軸孔と第２の軸孔とを貫通し、該ナット受け内に載置された固定ナット及び磁気ナットに螺合される。該前掛けレンズの両側には延長アームがそれぞれ設けられ、該延長アームの下方には磁気部材が設けられている。該前掛けレンズは、磁気部材と磁気ナットとにより吸着されるため、メイン眼鏡枠との組み合わせまたは分離を容易に達成することができる。
【考案の効果】
【０００７】
本考案に係る眼鏡構造によれば、ナット受けに埋め込まれた磁気ナット自体は結合部材であり、組み付けが強固になるという利点を有するため、付着された前掛けレンズは使用過程において外力の影響によって脱落したりすることはない。
【図面の簡単な説明】
【０００８】
【図１】本考案に係る主要構造の分解模式図である。
【図２】図１のメイン眼鏡枠及び前掛けレンズの分解模式図である。
【図３】図１の局所断面模式図である。
【図４】図１のメイン眼鏡枠と前掛けレンズとの組み合わせ模式図である。
【図５】付着された眼鏡枠を有する従来の眼鏡の模式図である。
【考案を実施するための形態】
【０００９】
図１ないし図４は、本考案に係る一実施例である前掛けレンズと眼鏡枠との組み合わせ構造を示す。それはメイン眼鏡枠２０と、前掛けレンズ３０とを含む。メイン眼鏡枠２０は、眼鏡枠本体２１と、２つの眼鏡脚２２と、２つの磁気軸組２３とを含む。眼鏡枠本体２１の両側には第１の結合部２１１がそれぞれ設けられており、第１の結合部２１１上には第１の軸孔２１２と、ナット受け２１３とが設けられている。眼鏡脚２２には第２の結合部２２１が設けられており、第２の結合部２２１には第２の軸孔２２２が設けられている。磁気軸組２３は、磁気ナット２３１と、ねじ２３２と、固定ナット２３３とを含む。磁気ナット２３１は面積の大きいナット部材であり、磁石によって吸着可能な材質または磁石からなる。
【００１０】
前掛けレンズ３０は、メイン眼鏡枠２０と造形が類似するレンズ組である。前掛けレンズ３０の両側には延長アーム３１がそれぞれ設けられており、延長アーム３１は磁気ナット２３１に対向する上方に位置し、延長アーム３１の下方には磁気部材３２が設けられている。前掛けレンズ３０は、上端に凸縁３３が延在しており、中央に係止フック３４が設けられている。前掛けレンズ３０のレンズは、ユーザによって選択可能な少なくとも一つの異なる色に予め製造されてもよい。
【００１１】
図３に示すように、前掛けレンズ３０及びメイン眼鏡枠２０は、組み立ての場合に、ねじ２３２を介して対応する第１の軸孔２１２と第２の軸孔２２２とを貫通し、ナット受け２１３内に載置された固定ナット２３３及び磁気ナット２３１に螺合されるため、眼鏡脚２２は組み立ての終了後にねじ２３２を回転軸として眼鏡枠本体２１に対して折り畳みの動作を行うことができる。延長アーム３１の下方にある磁気部材３２が磁気ナット２３１に対応するため、磁気部材３２は、磁気ナット２３１と相互に吸着可能であり、前掛けレンズ３０はメイン眼鏡枠２０の前面に結合され位置決め可能である。
【００１２】
図４に示すように、前掛けレンズ３０とメイン眼鏡枠２０とが組み合わせられた後、前掛けレンズ３０は、両側の延長アーム３１を介してメイン眼鏡枠２０に接続されるほか、前掛けレンズ３０の凸縁３３は、眼鏡枠本体２１の上端に位置し、しかも、係止フック３４は眼鏡枠本体２１の眼鏡ブリッジ２４の箇所に係止されているため、結合強度の向上も可能となる。ユーザが激しく動作している場合、前掛けレンズ３０のメイン眼鏡枠２０への強固な固定に寄与することができる。さらに、ナット受け２１３に埋め込まれた磁気ナット２３１自体が結合部材であるため、磁気ナット２３１の結合が強固となり、使用過程において外力の影響によって脱落することはなく、従来のメイン眼鏡枠及び付着された眼鏡枠上の磁石が容易に脱落する問題を効果的に改善することができる。
【００１３】
上記のように、これらの実施の形態は本考案の好ましい実施例のみであり、本考案の特許請求の範囲に基づいてなされる等価の変更や修飾は、本考案の技術範囲に入るものである。
【００１４】
以上のように、本考案では、眼鏡枠本体と、２つの眼鏡脚と、２つの磁気軸組とを含み、前記眼鏡枠本体の両側には第１の結合部がそれぞれ設けられており、前記第１の結合部には第１の軸孔と、ナット受けとが設けられており、各眼鏡脚には第２の結合部が設けられており、前記第２の結合部には第２の軸孔が設けられており、各磁気軸組は磁気ナットと、ねじと、固定ナットとを含み、前記磁気ナットは磁石によって吸着可能な材質または磁石からなり、前記ねじにより前記第１の軸孔と第２の軸孔とを貫通し、前記ナット受け内に載置された固定ナット及び磁気ナットに螺合されることで、各眼鏡脚の組み付けが完了するメイン眼鏡枠と、メイン眼鏡枠と造形が類似するレンズ組である前掛けレンズであって、その両側には延長アームがそれぞれ設けられており、前記延長アームの下方には前記磁気ナットに対応する磁気部材が設けられており、前記磁気部材は前記磁気ナットと相互に吸着されることで、前記メイン眼鏡枠の前面に結合され位置決め可能である前掛けレンズと、を備えることを特徴とする前掛けレンズと眼鏡枠との組み合わせ構造とするものである。
【産業上の利用可能性】
【００１５】
本考案に係る眼鏡構造によれば、ナット受けに埋め込まれた磁気ナット自体は結合部材であり、組み付けが強固になるという利点を有するため、付着された前掛けレンズは使用過程において外力の影響によって脱落したりすることはない。
【符号の説明】
【００１６】
１０  メイン眼鏡枠
１１  眼鏡枠本体
１２  眼鏡ブリッジ
１３  前掛け眼鏡枠
１４  磁石
２０  メイン眼鏡枠
２１  眼鏡枠本体
２１１  第１の結合部
２１２  第１の軸孔
２１３  ナット受け
２２  眼鏡脚
２２１  第２の結合部
２２２  第２の軸孔
２３  磁気軸組
２３１  磁気ナット
２３２  ねじ
２３３  固定ナット
２４  眼鏡ブリッジ
３０  前掛けレンズ
３１  延長アーム
３２  磁気部材
３３  凸縁
３４  係止フック
【図１】
0003208024.tif 000003
【図２】
0003208024.tif 000004
【図３】
0003208024.tif 000005
【図４】
0003208024.tif 000006
【図５】
0003208024.tif 000007